(57)【要約】【課題】サスペンションの変形を抑えてスライダの取り外しが可能であると共に、磁気ヘッドの姿勢角を安定にたもつことができる磁気ヘッド・アセンブリ及びこれを搭載した磁気ディスク装置を提供すること。【解決手段】本実施の形態にかかるＨＧＡは、サスペンションと、磁気ヘッド素子部が配置された磁気ヘッド・スライダと、このスライダを保持し、サスペンションに接続されるジンバルとを有する。ジンバルは、導電性接着剤塗布領域Ａ１の周囲に形成されたスペーサ４０１を有し、このスペーサ４０１の外側に領域Ａ１以下の面積を有する非導電性接着両塗布領域Ａ２が形成され、ジンバルとスライダとが、領域Ａ１に塗布された導電性接着剤４０３により導通され、領域Ａ２に塗布された非導電性接着剤４０２により接着される。【選択図】図５
2007305270.tif 000002
【特許請求の範囲】
【請求項１】
サスペンションと、磁気ヘッド素子部が配置された磁気ヘッド・スライダと、当該磁気ヘッド・スライダを保持し、上記サスペンションに接続される可撓性支持部材とを有する磁気ヘッド・アセンブリであって、
前記可撓性支持部材は、第１の塗布領域の周囲に形成されたスペーサを有し、このスペーサの周囲に前記第１の塗布領域以下の面積を有する第２の塗布領域が形成され、
前記可撓性支持部材と前記磁気ヘッド・スライダとが、前記第１の塗布領域に塗布された導電性材により導通され、前記第２の塗布領域に塗布された非導電性接着剤により接着された、磁気ヘッド・アセンブリ。
【請求項２】
前記第２の塗布領域は、前記可撓性支持部材の前記磁気ヘッド・スライダと接着される領域においてディスク上に移動された際のその回転方向に対し線対称に設けられる
ことを特徴とする請求項１記載の磁気ヘッド・アセンブリ。
【請求項３】
前記非導電性接着剤は、前記可撓性支持部材の前記磁気ヘッド・スライダと接着される領域においてディスク上に移動された際のその回転方向に対し線対称に塗布されている
ことを特徴とする請求項１又は２記載の磁気ヘッド・アセンブリ。
【請求項４】
前記第１の塗布領域は、前記可撓性支持部材の前記磁気ヘッド・スライダと対峙する領域において略中央に位置する
ことを特徴とする請求項１記載の磁気ヘッド・アセンブリ。
【請求項５】
前記非導電性接着剤の塗布量は前記導電性接材の塗布量より多い
ことを特徴とする請求項１記載の磁気ヘッド・アセンブリ。
【請求項６】
前記非導電性接着剤は前記導電性材の２倍以上の塗布量である
ことを特徴とする請求項１記載の磁気ヘッド・アセンブリ。
【請求項７】
前記スペーサの高さは１５μｍ以下である
ことを特徴とする請求項１記載の磁気ヘッド・アセンブリ。
【請求項８】
サスペンションと、磁気ヘッド素子部が配置された磁気ヘッド・スライダと、該磁気ヘッド・スライダを保持し、上記サスペンションに接続される可撓性支持部材とを有する磁気ヘッド・アセンブリであって、
前記可撓性支持部材は、前記磁気ヘッド・スライダとの間隙を規定すると共に間欠的に形成されたスペーサを有し、
前記可撓性支持部材と前記磁気ヘッド・スライダとが、非導電性接着剤により接着され、導電性材により導通され、
前記導電性材は、前記スペーサ、及び少なくとも当該スペーサの間欠部分に塗布された前記非導電性接着剤によりその周囲全てが囲まれている、
磁気ヘッド・アセンブリ。
【請求項９】
ディスクと、
サスペンション、前記ディスクにアクセスしてデータを読み出し又はデータを書き込む磁気ヘッド素子部が配置された磁気ヘッド・スライダ、及び該磁気ヘッド・スライダを保持し、上記サスペンションに接続される可撓性支持部材を有する磁気ヘッド・アセンブリと、
前記磁気ヘッド・アセンブリを駆動するボイス・コイル・モータと、
前記ボイス・コイル・モータを制御する制御部とを有し、
前記可撓性支持部材は、第１の塗布領域の周囲に形成されたスペーサを有し、このスペーサの周囲に前記第１の塗布領域以下の面積を有する第２の塗布領域が形成され、
前記可撓性支持部材と前記磁気ヘッド・スライダとが、前記第１の塗布領域に塗布された導電性材により導通され、前記第２の塗布領域に塗布された非導電性接着剤により接着された、
磁気ディスク装置。
【発明の詳細な説明】
【技術分野】
【０００１】
本発明は、前記ディスクにアクセスしてデータを読み出し又はデータを書き込む磁気ヘッド素子部が配置された磁気ヘッド・スライダの再生を容易にする磁気ヘッド・アセンブリ及びこれを搭載した磁気ディスク装置に関する。
【背景技術】
【０００２】
ディスク・ドライブ装置として、光ディスク、光磁気ディスク、あるいはフレキシブル磁気ディスクなどの様々な態様の記録ディスクを使用する装置が知られているが、その中で、ハードディスク・ドライブ（ＨＤＤ）は、コンピュータの記憶装置として広く普及し、現在のコンピュータ・システムにおいて欠かすことができない記憶装置の一つとなっている。さらに、コンピュータにとどまらず、動画像記録再生装置、カーナビゲーション・システム、携帯電話、あるいはデジタル・カメラなどで使用されるリムーバブルメモリなど、ＨＤＤの用途は、その優れた特性により益々拡大している。
【０００３】
ＨＤＤで使用される磁気ディスクは、同心円状に形成された複数のデータ・トラックを有しており、各データ・トラックはアドレス情報を有する複数のサーボ・データとユーザ・データを含む複数のデータ・セクタが記録されている。ヘッド素子部がサーボ・データのアドレス情報に従って所望のデータ・セクタにアクセスすることによって、データ・セクタへのデータ書き込み及びデータ・セクタからのデータ読み出しを行うことができる。
【０００４】
ヘッド素子部はスライダに搭載され、さらにそのスライダはアクチュエータのサスペンション上に固着されている。アクチュエータとヘッド・スライダのアセンブリを、ヘッド・スタック・アセンブリ（ＨＳＡ）と呼ぶ。また、サスペンションとヘッド・スライダのアセンブリを、ヘッド・ジンバル・アセンブリ（ＨＧＡ）と呼ぶ。
【０００５】
磁気ディスクに対向するスライダＡＢＳ（Air Bearing Surface）面と回転している磁気ディスクとの間の空気の粘性による圧力が、サスペンションによって磁気ディスク方向に加えられる圧力とバランスすることによって、ヘッド・スライダは磁気ディスク上を一定のギャップを置いて浮上することができる。
【０００６】
ここで、サスペンションは、ヘッド・スライダを磁気ディスク対向面側で保持する可撓性支持部材（フレクシャ又はジンバルともいう。）と、ジンバルを磁気ディスク対向面側で保持するロード・ビームとを備えている。磁気ディスクの面振れなどを吸収するためにスライダが所定方向に傾くことができるように、ジンバルは変形可能に形成されている。
【０００７】
また、磁気ヘッド・スライダは、通常、高速回転する磁気ディスク表面上で、非常に小さい浮上量で稼働しており、例えばＣＳＳ（コンタクト、スタート、ストップ）時等には磁気ヘッド・スライダ浮上面と磁気ディスク表面とが摺動して、静電気が発生する。磁気ヘッド・スライダに静電気が発生すると、磁気ヘッド素子部が静電気により破壊されることがある。これを防止するために、磁気ヘッド・スライダの側面とジンバルとの境界面に導電性接着剤を塗布し、磁気ヘッド・スライダとジンバルを電気的に接続している。
【０００８】
この導電性接着剤は一般に非導電性接着剤に銀等の導電材料（金属フィラー等）が混合されてなるが、温度、振動等の厳しい使用環境において、この金属フィラー等の導電材料が脱落し、磁気ヘッド・スライダと磁気ディスクとの摺動事故を引き起こす恐れが有る。また、磁気ヘッド・スライダは、通常の接着剤（非導電性接着剤）によりジンバルに接着されているが、この導電性接着剤が磁気ヘッド・スライダの下部からはみ出して、ジンバル上の配線の端子の上に達し、この配線の端子と磁気ヘッド素子部からの配線の端子との接合に悪影響を与えることがある。特に小型化された磁気ヘッド・スライダにおいて、このようなことが起こりやすい。
【０００９】
そこで、ジンバルに、導電性接着剤領域を取り囲むシールドを設け、導電性接着剤がむき出しにならないようにするため、従来、磁気ヘッド・アセンブリにおけるジンバルを、図１０のような構成としたものがある。図１０に示すように、磁気ヘッドが搭載される領域５２０において、導電性接着剤５２３をシールド５２１で取り囲むことでその脱落による故障を防止することができる。なお、導電性接着剤５２３は接着力が弱く、通常、非導電性接着剤５１２も合わせて塗布される。
【００１０】
また、特許文献１には、導電性接着剤が設けられた領域と、ジンバル上に設けられた配線に接続する電極端子との間に、はみ出し防止壁を有する磁気ヘッド・アセンブリが開示されている。図１１は、特許文献１に記載の磁気ヘッド・アセンブリにおける可撓性支持部材の先端部の平面図である。
【００１１】
図１１に示すように、ＳＵＳ３０４等の金属材料からなるジンバル５０１上に、配線５０７ａ、５０７ｂ、５０７ｃ、５０７ｄと接続する電極端子５０６ａ、５０６ｂ、５０６ｃ、５０６ｄが配置されている。これらの電極端子５０６ａ、５０６ｂ、５０６ｃ、５０６ｄは磁気ヘッドスライダ（図示せず）の磁気ヘッド素子部側の電極端子と接合される。電極端子５０６ａ、５０６ｂ、５０６ｃ、５０６ｄと導電性接着剤塗布領域５０２との間には、はみ出しの防止壁５０５ａ、５０５ｂが設けられている。また、導電性接着剤塗布領域５０２は、磁気ヘッド・スライダの貼付け位置５０４のほぼ中央部にあり、その周りに導電性接着剤のはみ出しの防止壁５０５ｅが配置されている。防止壁５０５ｅの周囲は非導電性接着剤塗布領域５０３である。
【００１２】
ところで、近時のＨＤＤは、情報量の増加に伴い高記憶容量化、高性能化、小型化が要求され、これにより磁気ヘッド組立体も高精度、小型化、高信頼性が求められている。したがって、磁気ヘッドのリード／ライトパフォーマンスにおける浮上高（fly height）が製品の性能に及ぼす影響が大きくなっている。この浮上高は実際にＨＧＡに組み立てして動作テストを行なってみないとその性能が確かめられない。
【００１３】
通常、この動作テストにより欠陥品とされた場合、磁気ヘッド・スライダはサスペンションと共に破棄されているが、よりコストを低く抑えるためには、サスペンションを再生することが望まれる。
【特許文献１】特開２０００−２９８８１２号公報
【発明の開示】
【発明が解決しようとする課題】
【００１４】
しかしながら、サスペンションは、ＨＤＤパフォーマンス、対ショック性の向上、フェムトスライダの採用などにより、性能重視の設計となり、磁気ヘッド・スライダを貼り付ける薄板バネ（ジンバル）には厚さ１５μｍのステンレス薄板が採用されており、外力で容易に変形する。よって、ジンバルから磁気ヘッド・スライダを取りはすし、サスペンションを再生しようとしても、ジンバルが変形し再生することが極めて困難である。その主な理由は、上述の導電性接着剤領域を取り囲むシールドにより、接着剤を溶かす溶剤がしみ込みにくく、接着剤の接着力が落ちにくいためである。よって無理に剥がそうとするとサスペンションが曲がってしまい再生不可能となる。これに対し、上記特許文献１のような構成であれば、非導電性接着剤ははみ出し防止壁の外側に塗布されており、接着剤を溶かす溶剤が浸透しやすく、サスペンションの再生が可能とも考えられる。
【００１５】
しかし、上述のシールド若しくは防止壁（以下、スペーサという。）は、ヘッド・スライダとジンバルとを平行又は安定した角度に保つ土台として機能し、磁気ヘッドの姿勢角を安定させる機能を有する。さらに、当該スペーサの厚みにより、導電性接着剤の厚みを一定に保ち、接着剤のばらつきによるスライダとジンバル間の抵抗値のバラツキを低減する機能を有する。
【００１６】
特に、今後主流となるフェムトスライダではヘッドの姿勢角に対する要求は益々厳しいものとなっている。姿勢角のスペックの例としてはスライダサイズの大きいピコスライダでは、±１．２度であるのに対し、フェムトスライダでは、機器によっては、±０．４度と３倍程度の精度を必要とする。
【００１７】
すなわち、サスペンションとしてはヘッドの姿勢角を安定させる構成とすることが必要である。上述の特許文献１に記載の構成であると、接着剤領域１０２は露出しているので、解体する際には溶剤がしみ込みやすくサスペンションを再生することも可能となる。しかしながら、導電性接着剤領域が狭ため、導電性接着剤の塗布位置及び塗布量のバラツキにより、導電性接着剤の防止壁への乗り上げが発生しやすい。導電性接着剤がはみ出すと、姿勢角をコントロールすることができなくなるだけでなく、上述したように、磁気ヘッド素子部からの配線の端子との接合に悪影響を与えてしまうという問題点もある。
【００１８】
本発明は、このような問題点を解決するためになされたものであり、サスペンションの変形を抑えてスライダの取り外しが可能であると共に、磁気ヘッドの姿勢角を安定に保つことができる磁気ヘッド・アセンブリ及びこれを搭載した磁気ディスク装置を提供することを目的とする。
【課題を解決するための手段】
【００１９】
上述した目的を達成するために、本発明に係る磁気ヘッド・アセンブリは、サスペンションと、磁気ヘッド素子部が配置された磁気ヘッド・スライダと、当該磁気ヘッド・スライダを保持し、上記サスペンションに接続される可撓性支持部材とを有する磁気ヘッド・アセンブリであって、前記可撓性支持部材は、第１の塗布領域の周囲に形成されたスペーサを有し、このスペーサの周囲に前記第１の塗布領域以下の面積を有する第２の塗布領域が形成され、前記可撓性支持部材と前記磁気ヘッド・スライダとが、前記第１の塗布領域に塗布された導電性材により導通され、前記第２の塗布領域に塗布された非導電性接着剤により接着されたものである。
【００２０】
本発明においては、第１の塗布領域に塗布された導電性材により磁気ヘッド・スライダと可撓性支持部材とを導通させることができる。この導電性材の周囲には導電性材を取り囲むスペーサが形成され、その外側に塗布された非導電性接着剤により磁気ヘッド・スライダを可撓性支持部材と接着することで、導電性材の脱落を防止すると共に、解体する際の溶剤を染みやすくすることができて可撓性支持部材から磁気ヘッド・スライダを取り外しやすくする。またスペーサ内に形成される第１の塗布領域を第２の塗布領域より広い領域としてあるので導電性材を塗布する際のはみ出しを抑制することができる。
【００２１】
また、前記第２の塗布領域は、前記可撓性支持部材の前記磁気ヘッド・スライダと接着される領域においてディスク上に移動された際のその回転方向に対し線対称に設けられることが好ましい。塗布領域を磁気ヘッド・スライダの前後方向に線対称に設けることで、磁気ヘッド・スライダの姿勢角を安定させることができる。
【００２２】
さらに、前記非導電性接着剤は、前記可撓性支持部材の前記磁気ヘッド・スライダと接着される領域においてディスク上に移動された際のその回転方向に対し線対称に塗布されていることが好ましい。非導電性接着剤を磁気ヘッド・スライダの前後方向に線対称に塗布することで、磁気ヘッド・スライダの姿勢角を安定させることができる。
【００２３】
また、前記非導電性接着剤の塗布量は前記導電性接材の塗布量より多いものとすることができ、例えば、前記非導電性接着剤は前記導電性材の２倍以上の塗布量とすることができる。導電性材は、導通を取ることができればよく少量でもかまわない。
【００２４】
さらに、前記スペーサの高さは１５μｍ以下とすることができ、極めて小さい磁気ヘッド・アセンブリに適用可能である。
【００２５】
本発明にかかる他の磁気ヘッド・アセンブリは、サスペンションと、磁気ヘッド素子部が配置された磁気ヘッド・スライダと、該磁気ヘッド・スライダを保持し、上記サスペンションに接続される可撓性支持部材とを有する磁気ヘッド・アセンブリであって、前記可撓性支持部材は、前記磁気ヘッド・スライダとの間隙を規定すると共に間欠的に形成されたスペーサを有し、前記可撓性支持部材と前記磁気ヘッド・スライダとが、非導電性接着剤により接着され、導電性材により導通され、前記導電性材は、前記スペーサ、及び少なくとも当該スペーサの間欠部分に塗布された前記非導電性接着剤によりその周囲全てが囲まれているものである。
【００２６】
本発明においては、導電性材は、スペーサ及び前記非導電性材によりその周囲全てが囲まれているのでその脱落を防止すると共に、スペーサを間欠的に形成することで、磁気ヘッド・スライダを可撓性支持部材から取り外すときの溶剤を非導電性接着剤に染み込みやすくしてその再生を容易とすることができる。
【００２７】
本発明にかかる磁気ディスク装置は、ディスクと、サスペンション、前記ディスクにアクセスしてデータを読み出し又はデータを書き込む磁気ヘッド素子部が配置された磁気ヘッド・スライダ、及び該磁気ヘッド・スライダを保持し、上記サスペンションに接続される可撓性支持部材を有する磁気ヘッド・アセンブリと、前記磁気ヘッド・アセンブリを駆動するボイス・コイル・モータと、前記ボイス・コイル・モータを制御する制御部とを有し、前記可撓性支持部材は、第１の塗布領域の周囲に形成されたスペーサを有し、このスペーサの周囲に前記第１の塗布領域以下の面積を有する第２の塗布領域が形成され、前記可撓性支持部材と前記磁気ヘッド・スライダとが、前記第１の塗布領域に塗布された導電性材により導通され、前記第２の塗布領域に塗布された非導電性接着剤により接着されたものである。
【００２８】
本発明においては、磁気ヘッド・アセンブリ又は磁気ディスク装置の組み立て後であってもサスペンションは容易に再生可能な構成を有するため、生産性の高い磁気ディスク装置を提供することができる。
【発明の効果】
【００２９】
本発明によれば、サスペンションの変形を抑えてスライダの取り外しが可能であると共に、磁気ヘッドの姿勢角を安定にたもつことができる磁気ヘッド・アセンブリ及びこれを搭載した磁気ディスク装置を提供することができる。
【発明を実施するための最良の形態】
【００３０】
以下に、本発明を適用可能な実施の形態を説明する。説明の明確化のため、以下の記載及び図面は、適宜、省略及び簡略化がなされている。又、各図面において、同一要素には同一の符号が付されており、説明の明確化のため、必要に応じて重複説明は省略されている。
【００３１】
本形態の特徴点について詳細に説明する前に、最初に、ＨＤＤの全体構成について説明する。図１は、本実施の形態に係るＨＤＤ１００の全体構成を模式的に示す平面図である。データを記録するディスクの一例ある磁気ディスク１０１は不揮発性の記録ディスクであって、磁性層が磁化されることによってデータを記録する。ベース１０２は、ガスケット（不図示）を介してベース１０２の上部開口を塞ぐカバー（不図示）と固定することによって筐体の一例であるディスク・エンクロージャを構成し、ＨＤＤ１００の各構成要素を収容することができる。
【００３２】
クランプ１０４は磁気ディスク１０１をスピンドル・モータ１０３に固定する。磁気ディスク１０１は、ベース１０２の底面に固定されたスピンドル・モータ１０３により所定の角速度で回転駆動される。ヘッド・スライダ１０５は磁気ディスク１０１にアクセスする。ヘッド・スライダ１０５は、ヘッド素子部とヘッド素子部が固定されたスライダとを有する。アクチュエータ１０６は、ヘッド・スライダ１０５を保持し、移動する。
【００３３】
アクチュエータ１０６は回動軸１０７に回動自在に保持されており、自身を回動する駆動機構としてのボイス・コイル・モータ（ＶＣＭ）１０９を備えている。アクチュエータ１０６は、ヘッド・スライダ１０５が配置されたその先端部から、サスペンション１１０、アーム１１１、及びフラットコイル１１３を保持するコイル・サポート１１２の順で結合された各構成部材を備えている。以下、アクチュエータ１０６及びその構成要素の説明に関し、本明細書おいて、回動軸１０７側を後ろ側、先端部側を前側として説明する。また、本明細書において、ヘッド・スライダ１０５とサスペンション１１０のアセンブリを、ヘッド・ジンバル・アセンブリ（ＨＧＡ）と呼ぶ。ヘッド・スライダ１０５を支持するサスペンション１１０の構成については、後に詳細に説明する。
【００３４】
ランプ１１５は磁気ディスク１０１の外周端部に近接し、磁気ディスク１０１の回転が停止するときなどに、ヘッド・スライダ１０５を磁気ディスク１０１の面上からアンロードする退避位置を備える。アクチュエータ１０６は、回動して磁気ディスク１０１上からその退避位置にヘッド・スライダ１０５をアンロードし、その退避位置から磁気ディスク１０１上にロードする。タブ１１６はサスペンション１１０の先端部に形成されており、ロード／アンロードにおいてランプ１１５上を摺動する。この他、データ書き込み／読み出し処理を行わない場合に、ヘッド・スライダ１０５が磁気ディスク１０１の内周に配置されているゾーンに退避するＣＳＳ（Contact Start and Stop）方式が知られており、本実施の形態に係るＨＤＤにも適用可能である。
【００３５】
磁気ディスク１０１からのデータの読み取り／書き込みのため、アクチュエータ１０６は回転している磁気ディスク１０１表面のデータ領域上にヘッド・スライダ１０５を移動する。アクチュエータ１０６が回動することによって、ヘッド・スライダ１０５が磁気ディスク１０１の記録面の半径方向に沿って移動する。磁気ディスク１０１に対向するヘッド・スライダ１０５のＡＢＳ（Air Bearing Surface）面で発生する力とサスペンション１１０による押し付け力とがバランスすることによって、ヘッド・スライダ１０５は磁気ディスク１０１上を所定のギャップを置いて浮上する。
【００３６】
ヘッド・スライダ１０５とプリアンプＩＣ１２３との間の信号は、アクチュエータ１０６に固定されているトレース１２２が伝送する。トレース１２２は、磁気ディスク１０１の反対側において、アーム１１１の回動方向を向く側面に沿って延びている。ＦＰＣ１４３はコネクタ１４７を介して、ベース１０２裏面に実装される制御回路基板（不図示）と回路的に接続されている。ＦＰＣ１４３は、制御回路とプリアンプＩＣ１２３との間の信号を伝送する。制御回路が、ＨＤＤ１００の動作制御及びその信号処理を行う。尚、ＨＤＤ１００は、１もしくは複数枚の磁気ディスク１０１を備えることができ、各磁気ディスクの片面もしくは両面に記録面を形成することができる。ＨＤＤ１００は、各記録面に対応するＨＧＡを備える。
【００３７】
図２（ａ）及び図２（ｂ）は、ヘッド・アセンブリの一例である本形態のＨＧＡ２００の構成を模式的に示す平面図である。図２（ａ）は、磁気ディスク１０１（ヘッド・スライダ１０５）側から見たＨＧＡ２００の構成を示し、図２（ｂ）はその反対側から見たＨＧＡ２００の構成を示している。図３は、ＨＧＡ２００の各構成要素を示す分解斜視図である。以下、これらを参照して説明する。
【００３８】
図３に示すように、本形態のサスペンション１１０は、フレックス・ケーブル２０１、ジンバル２０２、ロード・ビーム２０３及びマウント・プレート２０４を備えている。フレックス・ケーブル２０１及びその下のジンバル２０２の一部が、トレース１２２を構成する。フレックス・ケーブル２０１において、複数本のリードが互いに接触することなく、ポリイミド絶縁層と一体的に形成されている。
【００３９】
各リードの一端は、ＦＰＣ１４７に接続されるマルチコネクタ２１１を構成する。ヘッド・スライダ１０５側における各リードの他端は、ヘッド・スライダ１０５に形成されたパッドに接続される。フレックス・ケーブル２０１は、ジンバル２０２に接着剤によって固定する。なお、同様の構造をジンバル２０２上に直接形成することもできる。
【００４０】
ロード・ビーム２０３は、精密な薄板ばねとして、ステンレス鋼などによって形成される。その形状は、薄く軽量であると共に必要な剛性が保てるように設計される。その剛性はジンバル２０２よりも高い。図２（ａ）及び（ｂ）に示すように、その長手方向（タブ１１６（前側）から回動軸（後側）への方向）に沿ったヒンジ部２３１までの両縁部は、磁気ディスク１０１から離れる方向に（図３における下方向）曲げられ、フランジ２３２ａ、２３２ｂが形成されている。フランジ２３２ａ、２３２ｂは、ロード・ビーム２０３の剛性を高める。図２に示すように、ヒンジ部２３１は開口２１８を有し、また、フランジ２３２ａ、２３２ｂは形成されていない。ヒンジ部２３１は、バネ性を有することによってヘッド・スライダ１０５への加重を発生させ、それがヘッド・スライダ１０５のＡＢＳ面で発生する力とバランスする。
【００４１】
マウント・プレート２０４とジンバル２０２とは、共にロード・ビーム２０３にレーザ・スポット溶接やかしめ加工などによって一体化される。マウント・プレート２０４及びジンバル２０２は、例えば、ステンレス鋼で形成する。ジンバル２０２前端部のジンバル・タブ２２１は、ヘッド・スライダ１０５がランプ１１５に退避しているときに外部からの衝撃を受けた場合にランプ１１５と接触することによって、ジンバル２０２の回復不能な変形を防止する。
【００４２】
ジンバル２０２は、ジンバル・ベース部２２２においてロード・ビーム２０３に固定され、ジンバル・アーム２２３ａ、２２３ｂ及びジンバル・タング２２４を含むジンバル２０２の前部は固定されておらず、自由な状態となっている。ジンバル・ベース部２２８からヘッド・スライダ１０５側に延在する２つのジンバル・アーム２２３ａ、２２３ｂは、ジンバル・アーム２２３に連続してそれらの前部に形成されている舌片部の一例であるジンバル・タング２２４を弾性的に支持する。ジンバル・タング２２４は、回動方向に延びるリンク・アーム２２８ａ、２２８ｂによって、ジンバル・アーム２２３ａ、２２３ｂに結合されている。ジンバル・タング２２４前方側には、フレックス・ケーブル２０１の一部を支持するための矩形上のリング２２９が設けられている。
【００４３】
図２（ｂ）に示すように、ジンバル・タング２２４の磁気ディスク側の面上にヘッド・スライダ１０５が固着されている。ジンバル・タング２２４には、ジンバルの動きを規制するリミッタ・タブ２２５が形成されている。図３において、リミッタ・タブ２２５は、ロード・ビーム２０３の突部２３３に係止され、ジンバル２０２の大きな変形を防止する。リミッタ・タブ２２５と突部２３３とが、リミッタ機構を構成する。
【００４４】
次に、本実施の形態にかかる磁気ヘッド・アセンブリについて詳述する。図４（ａ）及び図４（ｂ）は、本実施の形態にかかるＨＧＡのスライダ搭載部分を拡大して示すそれぞれ斜視図及び平面図である。図４（ａ）及び図４（ｂ）に示すように、ジンバル・タング２２４においてヘッド・スライダが搭載される領域には、上面視でひし形形状のスペーサ４０１が形成されている。このジンバル・タング２２４におけるスライダ搭載位置に導電性接着剤及び非導電性接着剤が塗布され、スライダを接着する。ここで、本実施の形態にかかるＨＧＡは、スライダ搭載後、スライダが不良品である場合には、当該スライダを取り外し、サスペンション１１０の再利用を可能とする。このため、ジンバル・タング２２４におけるスライダ搭載位置には、第１の塗布領域としての導電性接着剤塗布領域Ａ１が設けられ、その周囲がスペーサ４０１により囲まれている。導電性接着剤塗布領域Ａ１に塗布された導電性接着剤により、磁気ヘッド・スライダとジンバルとを電気的に接続する。また、スペーサ４０１により、導電性接着剤塗布領域Ａ１に塗布される導電性接着剤が脱落して磁気ヘッド・スライダと磁気ディスクとの摺動事故を引き起こすことを防止する。
【００４５】
このスペーサ４０１には上述したように、さらに、ヘッド・スライダとジンバルとを平行又は安定した角度に保つ土台として、磁気ヘッドの姿勢角を安定させる機能を有する。さらに、当該スペーサの厚みにより、導電性接着剤の厚みを一定に保ち、接着剤のばらつきによるスライダとジンバル間の抵抗値のバラツキを低減する機能を有する。このスペーサ４０１は、例えば、フェムトスライダであれば１５μｍ以下の厚みを有する。
【００４６】
そして、導電性接着剤塗布領域Ａ１を囲むスペーサ４０１の外側の領域が、第２の塗布領域としての非導電性接着剤塗布領域Ａ２となっている。この非導電性接着剤塗布領域Ａ２に非導電性接着剤を塗布し、スライダと接着する。ここで、非導電性接着剤の塗布量は極めて少量であり塗布する位置及び量の制御が難しい。しかし、導電性接着剤がスペーサ４０１を超えてはみ出すと姿勢角に影響を与えるだけでなく、それが脱落して故障の原因となる。そこで、本実施の形態においては、この非導電性接着剤の塗布領域をなるべく大きく設け、得に非導電性接着剤塗布領域の面積以上としている。このことにより、導電性接着剤のはみ出しを防止することができる。なお、導電性接着剤４０３は、塗布可能なようにペースト状であればよく接着力がなくてもかまわない。また、接着力を有する非導電性接着剤はスペーサ４０１の外側に塗布されるため、サスペンションを再生する際、非導電性接着剤に溶剤がしみ込みやすく、ジンバルからの取り外しを容易とする。
【００４７】
さらに、磁気ヘッドの姿勢角を安定させるため、導電性接着剤塗布領域Ａ１及び非導電性接着剤塗布領域Ａ２は、ディスクに配置された際のディスクの回転方向（スライダの前後方向）に線対称に設けられ、導電性接着剤及び非導電性接着剤も線対称に塗布される。図５（ａ）及び図５（ｂ）は、本実施の形態にかかるＨＧＡのスライダ搭載部分を拡大して示すそれぞれ斜視図及び平面図であって、導電性接着剤及び非導電性接着剤を塗布した状態を示す図である。
【００４８】
図５（ａ）及び図５（ｂ）に示すように、本実施の形態にかかる非導電性接着剤４０２はスペーサ４０１の外側であって線対称となる位置に塗布される。また導電性接着剤４０３は、導電性接着剤塗布領域Ａ１の中央に塗布されている。導電性接着剤４０３は、スライダとジンバルとを電気的に接続できればよく少量でもかまわない。一方、非導電性接着剤４０２により、スライダを固定するため、本例では導電性接着剤４０３の約４倍塗布されている。
【００４９】
そして、図６（ａ）及び図６（ｂ）に示すように、この上部にスライダ１０５が接着固定される。なお、非導電性接着剤の塗布位置としては、線対称に塗布すれば姿勢角を保つことができ、図５に示す４点のうち、例えばスライダ１０５の前側の２点又は後ろ側２点のみの塗布とするなどしてもよい。
【００５０】
ところで、スペーサ４０１の形状は、非導電性接着剤塗布領域Ａ２を確保しつつ導電性接着剤塗布領域Ａ１をできるだけ大きくとることができ、かつ姿勢角を安定して保つことができるような形状とすればよい。そして、非導電性接着剤は安定した姿勢角となるよう、スライダの長手方向に対し線対称の位置に塗布できればよい。したがって、スペーサ４０１の形状や、非導電性接着剤の塗布位置は上記に限るものではない。
【００５１】
図７（ａ）及び図７（ｂ）は、本実施の形態にかかる他のＨＧＡのスライダ搭載部分を拡大して示す平面図であって接着剤塗布前後を示す図である。図７（ａ）及び図７（ｂ）に示すように、スペーサ４１１を、ジンバル・タング２２４におけるスライダ搭載位置の４隅にのみ非導電性接着剤塗布領域が形成されるような形状としてもよい。なお、スペーサ４１１は、ポリイミドなどからなり、フレックス・ケーブル２０１の絶縁層や保護層と共に、エッチング等により形成することができ、どのような形状であっても容易に形成することができる。
【００５２】
ＨＤＤ１００の製造では、上述のように、ヘッド・スライダ１０５を、接着剤によりサスペンション１１０に実装してＨＧＡ２００を製造する。その後、テスト装置に搭載され、浮上高のテスト等、ＨＧＡ２００のテストが行なわれる。そこでスライダの欠陥が発見された場合、スライダのみを破棄すればサスペンション１１０は再利用することができる。
【００５３】
ＨＧＡの製造において、ダイナミックエレキテスト（ＤＥＴ）と呼ばれるテストが行われる。ＤＥＴは、テスト装置にＨＧＡをセットし、回転する磁気ディスクに対して実際のリード／ライト処理を行う。これによって、ヘッド・スライダの浮上特性や記録再生特性の評価を行う。ここで、従来は、ＤＥＴにおいて仕様を満足するＨＧＡは次の製造工程へ進み、不合格と判定されたＨＧＡは廃棄されていた。従って、ヘッド・スライダが仕様を満たさない場合には、ヘッド・スライダが固着されたサスペンションも共に廃棄され、ＨＧＡ製造上の損失となっていた。これに対し、本実施の形態においては、導電性接着剤が脱落しないようその周囲をスペーサで取り囲む構成とし、さらにスペーサの外側に非導電性接着剤を塗布してサスペンションとスライダとを接着する。よって、スペーサの外側に非導電性接着剤が塗布されているため、非導電性接着剤に溶剤が染みやすく取り外しが容易となる。
【００５４】
図８は、スライダの再生工程を示すフローチャートである。スライダの欠陥が検出されたＨＤＤは、サスペンションを再生すべく、スライダの欠陥が発見されたＨＧＡを抽出し（ステップＳ１）、スライダ部分を溶剤に浸す（ステップＳ２）。本実施の形態においては、スペーサ４０１、４１１の外側に非導電性接着剤４０２が塗布されているため、溶剤がしみ込みやすく、接着力を低下させることができる。
【００５５】
非導電性接着剤の接着力が低下したらスライダを取り外す（ステップＳ３）。そして、取り外し後に、再びアルコール等の溶剤に浸し、残った非導電性接着剤４０２、導電性接着剤４０３を取り除く（ステップＳ４）。最後に、スライダの取り除かれたサスペンションが曲がったり、変形していないかのテストが行なわれる（ステップＳ５）。こうして、欠陥があるスライダが取り除かれたサスペンションは、再度新しいスライダが搭載され、ＨＧＡが製造される。
【００５６】
なお、ＨＤＤの製造工程としては、ＨＧＡを製造した後、アーム１１１及びフラットコイル１１３を備える部品であるＣＯＭＢにＨＧＡ２００を連結してＨＳＡを製造する。ＨＳＡには、ＡＥとＦＰＣ１４３とが実装される。スピンドル・モータ１０３、ＨＳＡ、磁気ディスク１０１、ＶＣＭマグネットなどの部品がベース１０２内に実装され、トップ・カバーでベース１０２の開口を閉じることでヘッド・ディスク・アセンブリ（ＨＤＡ）を製造する。そして、ＨＤＡのベース裏側に制御回路基板を実装して、ＨＤＤ１００が完成する。その後、リード／ライトなどの最終テストをパスしたら製品として出荷される。なお、この時点でスライダの欠陥が検出された場合においても、上述と同様、ＨＤＤを分解してサスペンションを再生することが可能である。
【００５７】
本実施の形態においては、サスペンションのスライダ搭載位置において、導電性接着剤塗布領域Ａ１の周囲を取り囲むスペーサ４０１を形成し、その外側に非導電性接着剤塗布領域Ａ２を設ける。そして、この外側の非導電性接着剤塗布領域Ａ２に非導電性接着剤を塗布してスライダを接着させることで、スライダに欠陥があって、サスペンションを再生する工程において、非導電性接着剤に溶剤が浸透しやすく、スライダを取り外しやすくすることができる。なお、導電性接着剤は、非導電性接着剤に銀ペースト等を混入したものであり、接着力は弱く、スペーサ４０１により溶剤がしみ込まなくてもスライダを取り外すことは可能である。これにより、サスペンションのサルベージが可能となり、コストリダクションが可能となる。
【００５８】
また、スペーサ４０１で取り囲む導電性接着剤塗布領域Ａ１をできるだけ大きく、少なくとも非導電性接着剤塗布領域Ａ２以上の面積としている。得に、近時のフェムトスライダを有するＨＤＤなどのように、小型化したＨＧＡにおいては、このスペーサの高さは１５μｍ以下となっており、導電性接着剤塗布領域Ａ１を広く設けなければ、その塗布位置や塗布量によって容易にスペーサからはみ出してしまう。これに対し、本実施の形態においては、この塗布領域Ａ１をできるだけ広くすることで、スペーサ４０１の高さが１５μｍ以下であっても導電性接着剤がその塗布領域Ａ１からはみ出すことがなく、姿勢角に影響を与えることなく、かつ導電性接着剤が脱落して故障の原因となるようなこともない。
【００５９】
また、スペーサ４０１、非導電性接着剤塗布領域Ａ２は、スライダの長手方向に線対称になるよう形成され、非導電性接着剤も同じくスライダ長手方向に線対称になるよう塗布することで、安定したスライダの姿勢角を得ることができる。また、スペーサ４０１をひし形等にすることで、導電性接着剤塗布領域Ａ１を大きくとることできる共に、スペーサ４０１がスライダ長手方向の略全域にわたって形成されるため、姿勢角をより安定したものとすることができる。
【００６０】
なお、本発明は上述した実施の形態のみに限定されるものではなく、本発明の要旨を逸脱しない範囲において種々の変更が可能であることは勿論である。例えば、上述の実施の形態においては、スペーサ４０１により、導電性接着剤塗布領域が囲まれたものとして説明したが、導電性接着剤の脱落防止のためには、スペーサで囲む場合に限らない。すなわち、スペーサ及び非導電性接着剤により導電性接着剤を囲むような構成としてもよい。この場合、サスペンションを再生可能とするために、非導電性接着剤が溶剤に浸したとき浸透可能であればよい。
【００６１】
図９（ａ）及び図９（ｂ）は、スペーサの形状及び非導電性接着剤の塗布位置の他の例を示す図である。図９（ａ）及び図９（ｂ）に示すように、スペーサ４２１ａ、４２１ｂを、導電性接着剤塗布領域Ａ１を取り囲むように形成しつつ一部に開口を設けた間欠的な構成とする。このスペーサ４２１ａ、４２１ｂの間欠部分を埋めるように非導電性接着剤４０２塗布し、導電性接着剤４０３を、スペーサ４２１ａ、４２１ｂ及び非導電性接着剤４０により取り囲むようにしてもよい。スペーサ４２１ａ、４２１ｂ及び非導電性接着剤４０により、導電性接着剤４０３の周囲全てを取り囲むことで、導電性接着剤４０３の脱落を防止することができる。また、スペーサ４２１ａ、４２１ｂの間欠部分に非導電性接着剤４０２を塗布することで解体時には溶剤がしみ込みやすく、サスペンションの再利用が可能となる。
【図面の簡単な説明】
【００６２】
【図１】本発明の実施の形態に係るＨＤＤ１００の全体構成を模式的に示す平面図である。
【図２】（ａ）及び（ｂ）は、ヘッド・アセンブリの一例である本形態のＨＧＡ２００の構成を模式的に示す平面図である。
【図３】ＨＧＡ２００の各構成要素を示す分解斜視図である。
【図４】（ａ）及び（ｂ）は、本発明の実施の形態にかかるＨＧＡのスライダ搭載部分を拡大して示すそれぞれ斜視図及び平面図である。
【図５】（ａ）及び（ｂ）は、本発明の実施の形態にかかるＨＧＡのスライダ搭載部分を拡大して示すそれぞれ斜視図及び平面図であって、導電性接着剤及び非導電性接着剤を塗布した状態を示す図である。
【図６】（ａ）及び（ｂ）は、本発明の実施の形態にかかるＨＧＡのスライダ搭載部にスライダを搭載する工程を説明する斜視図である。
【図７】（ａ）及び（ｂ）は、本発明の実施の形態にかかる他のＨＧＡのスライダ搭載部分を拡大して示す平面図であって接着剤塗布前後を示す図である。
【図８】本発明の実施の形態にかかるスライダの再生工程を示すフローチャートである。
【図９】（ａ）及び（ｂ）は、本発明の他の実施の形態にかかるスペーサの形状及び非導電性接着剤の塗布位置の他の例を示す図である。
【図１０】従来のＨＧＡのスライダ搭載部分を拡大して示す模式図である。
【図１１】特許文献１に記載の磁気ヘッド・アセンブリにおける可撓性支持部材の先端部の平面図である。
【符号の説明】
【００６３】
１０１  磁気ディスク、１０２  ベース、１０３  スピンドル・モータ
１０４  クランプ、１０５  ヘッド・スライダ、１０６  アクチュエータ１０７  回動軸
１１０  サスペンション、１１１  アーム、１１２  コイル・サポート
１１３  フラットコイル、１１５  ランプ、１１６  タブ、１２２  トレース
１４７  コネクタ、２０１  フレックス・ケーブル、２０２  ジンバル
２０３  ロード・ビーム、２０４  マウント・プレート、２１１  マルチコネクタ
２１８  開口、２２１  ジンバル・タブ、２２２  ジンバル・ベース部
２２３  ジンバル・アーム、２２３ａ，２２０ｂ  ジンバル・アーム
２２４  ジンバル・タング、２２５  リミッタ・タブ、２２８  ジンバル・ベース部
２２８ａ，２２８ｂ  リンク・アーム、２２９  リング、２３１  ヒンジ部
２３２ａ，２３２ｂ  フランジ、２３３  突部
４０１、４１１、４２１ａ、４２１ｂ  スペーサ、４０３  導電性接着剤
Ａ１  導電性接着剤塗布領域、Ａ２  導電性接着剤塗布領域
【図１】
2007305270.tif 000003
【図２】
2007305270.tif 000004
【図３】
2007305270.tif 000005
【図４】
2007305270.tif 000006
【図５】
2007305270.tif 000007
【図６】
2007305270.tif 000008
【図７】
2007305270.tif 000009
【図８】
2007305270.tif 000010
【図９】
2007305270.tif 000011
【図１０】
2007305270.tif 000012
【図１１】
2007305270.tif 000013